(57)【要約】本発明は有機電子素子に関する。基板ベース（１）、カバーエレメント（５）、前記基板ベースと前記カバーエレメントとの間に、少なくとも部分的に配置される第１の電極（２）、少なくとも部分的には有機材から成る少なくとも１つの層を有する有機層構造（３）、及び第２の電極（４）が提供され、乾燥材と熱伝導材とを含有する乾燥剤層（６）と熱伝導層（７）とが、前記基板ベースと前記カバーエレメントとの間に少なくとも部分的に配置され、前記乾燥剤層と前記熱伝導層とが互いに熱的に結合されることを特徴とする。【選択図】図１
2010536155.tif 000002
【特許請求の範囲】
【請求項１】
具体的には有機発光ダイオード（ＯＬＥＤ）又は有機太陽電池である有機電子素子であって、
基板ベース（１）、カバーエレメント（５）、前記基板ベースと前記カバーエレメントとの間に少なくとも部分的に配置される第１の電極（２）、少なくとも１つの層を有する有機層構造（３）、及び第２の電極（４）を有し、前記層は少なくとも部分的には有機材料から成り、
乾燥材と熱伝導材とを含有する乾燥剤層（６）と熱伝導層（７）とが、前記基板ベースと前記カバーエレメントとの間に少なくとも部分的に配置され、前記乾燥剤層と前記熱伝導層が互いに熱的に結合されること、
を特徴とする有機電子素子。
【請求項２】
前記熱伝導材が金属材を含有し、前記金属材が金属粒子の形態で前記乾燥材中に分布され、具体的には均一に分布されること、及び／又は乾燥剤層が１０ｎｍ乃至５，０００μｍの、好ましくは２００ｎｍ乃至１０μｍの層の厚みを有すること、
を特徴とする先行する請求項に記載の有機電子素子。
【請求項３】
前記金属粒子が０．１μｍ乃至１，０００μｍの、好ましくは１μ乃至２００μｍの平均サイズを有すること、を特徴とする先行する請求項に記載の有機電子素子。
【請求項４】
前記熱伝導層が５％乃至７０％の、好ましくは２０％乃至４０％の体積率で前記乾燥剤層（６）に含有されること、及び／又は
前記熱伝導材がＮｉ、Ｃｕ、Ａｇ、Ａｌ、Ｃａ、Ｍｇ、Ｚｎ、Ｓｎ、Ｆｅ、Ａｕ及び／又はこれらの材料数種からなる合金から成ること、又はこれを含むこと、及び／又は
前記乾燥材が少なくとも１つのゼオライト材及び／又はＣａＯから成ること、又はこれを含むこと、
を特徴とする先行する請求項のいずれか一項に記載の有機電子素子。
【請求項５】
前記熱伝導層（７）が少なくとも１つの熱ブリッジ接続（７ａ）を有し、これにより前記有機電子素子は熱的に接触できること、及び／又は
前記熱伝導層（７）が少なくとも１つの金属及び／又は少なくとも１つの合金を有すること、
を特徴とする先行する請求項のいずれか一項に記載の有機電子素子。
【請求項６】
前記熱ブリッジ接続と熱的に接触する冷却体（８）を有すること、を特徴とする先行する請求項に記載の有機電子素子。
【請求項７】
前記乾燥剤層（６）が前記第２の電極（４）と前記カバーエレメント（５）との間に配置されること、を特徴とする先行する請求項のいずれか一項に記載の有機電子素子。
【請求項８】
前記乾燥剤層（６）と前記熱伝導層（７）が互いに熱的に結合され、全表面にわたり互いに少なくとも部分的には接合する状態で配置されること、及び／又は
前記熱伝導層（７）が前記乾燥剤層（６）と前記カバーエレメント（５）との間に配置されること、
を特徴とする先行する請求項のいずれか一項に記載の有機電子素子。
【請求項９】
前記第１の電極（２）が前記基板ベース（１）上に配置され、且つ好ましくは後者に接合し、前記有機層構造（３）が前記第１の電極上に配置され、且つ好ましくは後者に接合し、前記第２の電極（４）が前記有機層構造上に配置され、且つ好ましくは後者に接合し、前記カバーエレメント（５）が前記第２の電極上に配置されること、
を特徴とする先行する請求項のいずれか一項に記載の有機電子素子。
【請求項１０】
前記電極（２、４）のいずれか一方と前記乾燥剤層（６）との間に配置され、且つ好ましくはこの電極及び／又は前記乾燥剤層に接合する第２の熱伝導層（９）を特徴とし、前記第２の熱伝導層（９）が、少なくとも１つの金属、及び／又は少なくとも１つの合金を好ましくは有すること、又は好ましくは液状又はペースト状材料で満たされた層容積として構成されること、
を特徴とする先行する請求項のいずれか一項に記載の有機電子素子。
【請求項１１】
好ましくはファン及び／又は液冷システムを備え、前記有機層構造（３）を冷却できるよう配置及び／又は構成される能動的冷却エレメント、を特徴とする先行する請求項のいずれか一項に記載の有機電子素子。
【請求項１２】
冷却液で満たすことができる、及び／又は少なくとも部分的には満たされる液槽を有し、前記乾燥剤層、前記第１の熱伝導層（７）及び／又は前記第２の熱伝導層（９）が、前記液槽に少なくとも部分的には埋設されること、
を特徴とする先行する請求項のいずれか一項に記載の有機電子素子。
【請求項１３】
前記第１の電極（２）が第１の電気的接続接点（２ａ）を有すること、及び／又は前記第２の電極（４）が第２の電気的接続接点（４ａ）を有すること、を特徴とする先行する請求項のいずれか一項に記載の有機電子素子。
【請求項１４】
前記有機層構造の共同熱電接点を構成するため、前記第１及び／又は第２の電気的接続接点（２ａ、４ａ）が、電気絶縁部（１０）を介して前記熱ブリッジ接続（７ａ）の少なくとも一方へ結合されること、
を特徴とする先行する請求項及び請求項５に記載の有機電子素子。
【請求項１５】
前記基板（１）及び／又は前記カバーエレメント（５）が、０．１ワット／（ｍ・ケルビン）乃至５００ワット／（ｍ・ケルビン）の熱伝導係数を有する材料を含有すること、又は備えること、
を特徴とする先行する請求項のいずれか一項に記載の有機電子素子。
【請求項１６】
前記基板（１）及び／又は前記カバーエレメント（５）が、非導電性材料、具体的にはガラスからなること、又はこれを含むこと、
を特徴とする先行する請求項のいずれか一項に記載の有機電子素子。
【請求項１７】
前記基板（１）及び／又は前記カバーエレメント（５）が、少なくとも部分的には透明であること、を特徴とする先行する請求項のいずれか一項に記載の有機電子素子。
【請求項１８】
前記基板（１）及び／又は前記カバーエレメント（５）が層を有する少なくとも１つの柔軟屈曲可能層構造から成り、又はこれを有し、前記柔軟屈曲可能層構造の前記層の内少なくとも１層が熱伝導フォイルから成ること、又はこれを有すること、
を特徴とする先行する請求項のいずれか一項に記載の有機電子素子。
【請求項１９】
前記柔軟屈曲可能層構造が金属化層から成ること、又はこれを有すること、を特徴とする先行する請求項に記載の有機電子素子。
【請求項２０】
前記金属化層を構成するため前記熱伝導フォイルが金属化されること、を特徴とする先行する請求項に記載の有機電子素子。
【請求項２１】
具体的には有機発光ダイオード（ＯＬＥＤ）又は有機太陽電池である柔軟屈曲可能有機電子素子であって、
柔軟屈曲可能基板ベース（１）、柔軟屈曲可能カバーエレメント（５）、前記基板ベースと前記カバーエレメントとの間に少なくとも部分的に配置される柔軟屈曲可能第１の電極（２）、少なくとも１つの層を有する柔軟屈曲可能有機層構造（３）、及び柔軟屈曲可能第２の電極（４）とを有し、前記層は少なくとも部分的には有機材料から成り、
前記基板ベース（１）及び／又は前記カバーエレメント（５）が、少なくとも１つの層を有する少なくとも１つの柔軟屈曲可能層構造から成り、又はこれを有し、前記柔軟屈曲可能層構造の前記層の内少なくとも１層が熱伝導フォイル（１２）から成ること、又はこれを有すること、
を特徴とする柔軟屈曲可能有機電子素子。
【請求項２２】
前記柔軟屈曲可能層構造が金属化層（１２ａ）から成ること、又はこれを有すること、を特徴とする先行する請求項に記載の柔軟屈曲可能有機電子素子。
【請求項２３】
前記金属化層（１２ａ）を構成するため、前記熱伝導フォイル（１２）が金属化されること、を特徴とする先行する請求項に記載の柔軟屈曲可能有機電子素子。
【請求項２４】
乾燥材と熱伝導材とを含有する柔軟屈曲可能乾燥剤層（６）と柔軟屈曲可能熱伝導層（７）とが、前記基板ベースと前記カバーエレメントとの間に少なくとも部分的に配置され、前記乾燥剤層と前記熱伝導層が互いに熱的に結合されること、
を特徴とする請求項２１に記載の柔軟屈曲可能有機電子素子。
【請求項２５】
前記熱伝導フォイルが前記熱伝導層（７）を構成すること、を特徴とする先行する請求項に記載の柔軟屈曲可能有機電子素子。
【請求項２６】
請求項２乃至１７のいずれか一項に記載の構成を有すること、を特徴とする先行する２つの請求項のいずれか一項に記載の柔軟屈曲可能有機電子素子。
【請求項２７】
具体的には有機発光ダイオード（ＯＬＥＤ）又は有機太陽電池である有機電子素子であって、
基板ベース（１）、カバーエレメント（５）、前記基板ベースと前記カバーエレメントとの間に少なくとも部分的に配置される第１の電極（２）、少なくとも１つの層を有する有機層構造（３）、及び第２の電極（４）を有し、前記層は少なくとも部分的には有機材料から成り、
少なくとも１つの層を備えるエレクトロクロミック及び／又はフォトクロミック層構造（１１）を特徴とし、前記層が、少なくとも１つのエレクトロクロミック材及び／又は少なくとも１つのフォトクロミック材（エレクトロクロミック及び／又はフォトクロミック層）からなること、又はこれを有すること、
を特徴とする有機電子素子。
【請求項２８】
光吸収スペクトルがそれぞれ異なる複数のエレクトロクロミック及び／又はフォトクロミック層を備えるエレクトロクロミック及び／又はフォトクロミック層構造（１１）であること、
を特徴とする先行する請求項に記載の有機電子素子。
【請求項２９】
ＯＬＥＤとしての構成を特徴とし、前記エレクトロクロミック及び／又はフォトクロミック層構造は、少なくとも１つのフォトクロミック及び／又はエレクトロクロミック材を有する少なくとも１つの層を備え、前記材が、前記ＯＬＥＤの前記有機層構造によって発せられる波長範囲外の波長範囲の光を吸収すること、及び／又は前記フォトクロミック及び／又はエレクトロクロミック材の吸収上限の波長が、前記ＯＬＥＤの前記有機層構造によって発せられる波長範囲の放射上限の波長から、前記吸収上限の前記波長に対し、少なくとも１０％、好ましくは少なくとも２５％、好ましくは少なくとも５０％、好ましくは少なくとも１００％、異なるように選択されること、
を特徴とする先行する２つの請求項のいずれか一項に記載の有機電子素子。
【請求項３０】
前記エレクトロクロミック及び／又はフォトクロミック層構造が、前記カバーエレメントの方を向く前記基板ベース面に配置され、且つ好ましくは後者に接合すること、前記エレクトロクロミック及び／又はフォトクロミック層構造が、前記カバーエレメントに対して反対側の前記基板ベース面に配置され、且つ好ましくは後者に接合すること、前記エレクトロクロミック及び／又はフォトクロミック層構造が、前記基板ベースの方を向く前記カバーエレメント面に配置され、且つ好ましくは後者に接合すること、前記エレクトロクロミック及び／又はフォトクロミック層構造が、前記基板ベースに対して反対側の前記カバーエレメント面に配置され、且つ好ましくは後者に接合すること、又は前記エレクトロクロミック及び／又はフォトクロミック層構造が、前記カバーエレメントに一体化され、あるいは前記基板ベースに一体化され、配置されること、
を特徴とする先行する３つの請求項のいずれか一項に記載の有機電子素子。
【請求項３１】
前記エレクトロクロミック及び／又はフォトクロミック層構造が、少なくとも１つのエレクトロクロミック材を有する少なくとも１つの層と２つの電極を備え、前記層が前記２つの電極により電気的に接触されること、
を特徴とする先行する４つの請求項のいずれか一項に記載の有機電子素子。
【請求項３２】
前記エレクトロクロミック及び／又はフォトクロミック層構造が少なくとも１つのエレクトロクロミック及び／又はフォトクロミック層を有し、前記少なくとも１つのエレクトロクロミック及び／又はフォトクロミック層が、具体的には層面において前記エレクトロクロミック及び／又はフォトクロミック材の局所濃度を変化させることにより構造化されること、
を特徴とする先行する５つの請求項のいずれか一項に記載の有機電子素子。
【請求項３３】
前記層面に対して垂直に互いに上下に重なり配置される複数の構造化エレクトロクロミック及び／又はフォトクロミック層を特徴とし、前記層が好ましくはそれぞれ別々に構造化されること、を特徴とする先行する請求項に記載の有機電子素子。
【請求項３４】
前記エレクトロクロミック材がポリアニリンから成ること、又はこれを含有すること、及び／又は
前記エレクトロクロミック及び／又はフォトクロミック層の内少なくとも１つのエレクトロクロミック及び／又はフォトクロミック層が、５０ｎｍ乃至１ｍｍの厚みを有すること、及び／又は
前記エレクトロクロミック材の内少なくとも１つのエレクトロクロミック材が、及び／又は前記フォトクロミック材の内少なくとも１つのフォトクロミック材が、行列状に存在すること、
を特徴とする先行する７つの請求項のいずれか一項に記載の有機電子素子。
【請求項３５】
前記有機層構造が少なくとも１つの層を有し、前記少なくとも１つの層が具体的には前記層面において有機材の局所濃度を変化させることにより構造化されること、を特徴とする先行する請求項のいずれか一項に記載の有機電子素子。
【請求項３６】
乾燥材と熱伝導材とを含有する乾燥剤層（６）と熱伝導層（７）とが、前記基板ベースと前記カバーエレメントとの間に少なくとも部分的に配置され、前記乾燥剤層と前記熱伝導層が互いに熱的に結合されること、を特徴とする先行する９つの請求項のいずれか一項に記載の有機電子素子。
【請求項３７】
請求項２乃至２０のいずれか一項に記載の構成、を特徴とする先行する請求項に記載の有機電子素子。
【請求項３８】
二次元行列に配置され、先行する請求項のいずれか一項に記載のＯＬＥＤの形態であること、を特徴とする多数の有機電子素子を有するディスプレイ。
【請求項３９】
所定スペクトル範囲の光入射から、及び／又は既定強度を上回る光入射から、有機電子素子、具体的には有機発光ダイオード（ＯＬＥＤ）又は有機太陽電池を保護する方法であり、
時間的に変化する電圧が、請求項２７乃至３７のいずれか一項に記載の有機電子素子に印加されること、
を特徴とする方法。
【請求項４０】
前記電圧が時刻に応じて、及び／又は前記素子に当たる光強度に応じて変更されること、を特徴とする先行する請求項に記載の方法。
【請求項４１】
有機発光ダイオード（ＯＬＥＤ）により構造、記号、及び／又は文字を一時的に可視化する方法であって、
時間的に変化する電圧が請求項２７乃至３７のいずれか一項に記載の有機電子素子に印加されること、
を特徴とする方法。
【請求項４２】
構造、記号、及び／又は文字をディスプレイにおいて一時的に可視化するため、色表示のため、又は放射強度表示のためのものであることを特徴とする、請求項１乃至３７のいずれか一項に記載の有機電子素子の使用。
【発明の詳細な説明】
【技術分野】
【０００１】
本発明は有機電子素子に関し、具体的には有機発光ダイオード（ＯＬＥＤ）又は有機太陽電池に関する。ＯＬＥＤは有機層構造を有し、同有機層構造は通常、複数の有機層から構成され、２つの電極によって接触される。この構成は有機太陽電池にも同様に当てはまる。本発明は、特に有機電子素子の冷却と効果の達成（例えばＯＬＥＤによる文字又は記号の色の変化や表示の達成）に関する。本発明は更に、かかる有機電子素子の保護（寿命延長のため）に関する。
【背景技術】
【０００２】
有機電子素子は先行技術から既に周知である。例えば、水がＯＬＥＤに及ぼす損傷の効果は既に知られているため、ＯＬＥＤの生産ではゼオライトやＣａＯをベースとするシステム等、乾燥剤を挿入部するのが一般的である。有機太陽電池にも同じことが当てはまる。更に、素子の寿命と、性能と、安定性が素子の温度によって左右されることも知られている。結果的に、通常であれば素子の温度が上昇し、素子の特性、特に素子の寿命に悪影響が及ぶ。
【０００３】
先行技術で周知の標準的な乾燥剤（ＣａＯ及びゼオライト含有製品）の場合は、接着パッドの形態でＣａＯベースの乾燥剤に接着することが知られている。ゼオライトベースの製品は通常、溶液から液状乾燥剤（ゼオライトペースト等）として適用される。この場合はゼオライトの使用に先立ち活性化しなければならない。このことは、例えばＩＲ放射及び／又は真空への導入によって達成することができる。
【０００４】
その結果、上述のように、光の入射によって有機電子素子が劣化することがある。その原因は、酸素へのエネルギー移動と光線感作物質（フタロシアニン等）の光励起による一重項酸素の形成にある。これは特にＯＬＥＤや有機太陽電池の屋外用途で活性表面が長時間にわたり太陽放射に曝される場合に問題となる。この場合は、少量の酸素（例えば接着継ぎ目に貫通）であっても素子の寿命は著しく縮まる。
【０００５】
最後に、カラーフォイルを使用し、これを例えばＯＬＥＤに接着することで光の効果を達成することが先行技術で知られている。
【先行技術文献】
【非特許文献】
【０００６】
【非特許文献１】H. Bonas, H. Durr, "Organic photochromism（有機フォトクロミズム）", Pure Appl. Chem., Vol. 73, No. 4, pp. 639-665, 2001
【非特許文献２】G. Sonnez et al., "A Red, Green and Blue Polymeric Electrochromic Device（赤、緑、青の高分子エレクトロクロミック素子）"; The Dawning of the PECD Era", Appl. Chem. 2004, 116, 1523-1528.
【非特許文献３】R. Mortiner, "Organic electrochromic materials（有機エレクトロクロミック材料）", Electrochimica Acta 44 (1999), 2971-2981.
【非特許文献４】C. Lampert, "Chromogenic Smart materials（発色スマート材料）", materials today, March 2004, pp. 28-35.
【発明の概要】
【発明が解決しようとする課題】
【０００７】
本発明の目的は、先行技術で周知の有機電子素子を基礎とし、その寿命を簡素で費用効果に優れた方法で伸ばすことにある。ここでは特に、有機電子素子の冷却を改善することを目的とする。本発明の目的は更に、簡素で、有利で、柔軟性に優れた方法で光の効果を達成できるＯＬＥＤ等の有機電子素子を提供することにある。
【課題を解決するための手段】
【０００８】
上記の目的は、請求項１に記載の有機電子素子と、請求項２１に記載の有機電子素子と、請求項２７に記載の有機電子素子と、請求項３８に記載のディスプレイと、によって達成される。それぞれの従属請求項から有利な実施形態を導き出すことができる。
【０００９】
更に、上述した目的解決の範囲内で同様に使用できる方法が本発明の範囲内で提供される（請求項３９乃至４１）。請求項４２には本発明による使用が記載されている。
【００１０】
上述した目的に対する解決法の基本的思想は、上述した有機電子素子の乾燥と冷却を一元化することにある。本発明の更なる基本的思想は、有機電子素子を保護するため、及び／又はかかる素子により効果を達成するため、フォトクロミック及び／又はエレクトロクロミック層を使用することにある。
【００１１】
以下において、いくつかの実施形態を参照しつつ、本発明による解決方法を詳細に説明する。以下で説明する本発明の特徴は、有利な実施形態における組み合わせで成立するだけでなく、別の組み合わせにより本発明の範囲内で構成もしくは使用することもできる。
【００１２】
以下の実施形態で詳述する本発明による有機電子素子には、先行技術で周知の有機電子素子に比べて以下に記載の利点がある。
【００１３】
本発明による素子設計の改善によって、冷却手段の効果が高まる。具体的には、冷却エレメントや冷却体への熱伝導が大幅に向上する。本発明により、剛性素子だけでなく可撓性素子又は柔軟封止型素子で放熱を向上させることができる。
【００１４】
特に有機太陽電池の場合は、本発明により廃熱をエネルギー回収に役立てることができる。
【００１５】
本発明による有機電子素子では、寿命を縮める光の効果に対する保護が大幅に向上する。
【００１６】
本発明による有機電子素子により、いかなる効果でも簡素で費用効果に優れた方法で達成できる。
【００１７】
熱による劣化と光による劣化の両面で、先行技術に比べて大幅な改善を本発明により達成できる。これは特に、１，０００ｃｄ／ｍ２以上の目的光密度や最終製品の増大する素子集積要求で一役を果たす（寿命と特性を左右するパラメータとしての発熱・放熱が更なる重要性をおびている）。
【００１８】
特に、乾燥剤層に熱伝導材を一元的に設けることで放熱と湿気吸収を集約し、更にこの層を熱伝導層に結合することにより、上記の態様に関し先行技術に比べて大幅な進歩が達成される。
【図面の簡単な説明】
【００１９】
【図１】ＯＬＥＤの形態の本発明の第１の有機電子素子を示す図である。
【図２】ＯＬＥＤの形態の本発明による可撓性有機電子素子を示す図である。
【図３】フォトクロミック及び／又はエレクトロクロミック層を有し、ＯＬＥＤの形態の第１及び第２の有機電子素子を示す図である。
【図４】ＯＬＥＤの形態の本発明による有機電子素子の応用事例を示す図である。
【図５】エレクトロクロミック層を有し、ＯＬＥＤの形態の更なる電子素子を示す図である。
【図６】エレクトロクロミック層を有し、ＯＬＥＤの形態の更なる電子素子を示す図である。
【図７】エレクトロクロミック層を有し、ＯＬＥＤの形態の更なる電子素子を示す図である。
【発明を実施するための形態】
【００２０】
図１は、有機発光ダイオードの形態である、本発明による有機電子素子の第１の例を示す図である。
【００２１】
ガラス基板、すなわち基板ベース１には、第１の電極（ここでは透明ＩＴＯ陽極）２が同ガラス基板に接合する状態で配置されている。以降の説明において、単に第１のエレメントが第２のエレメント上に配置されるという記述の場合（これに加えて両エレメントが互いに接合するとの記述がない限り）、これは、第１のエレメントが第２のエレメントに直に接合する状態で配置されることを意味するものではない。つまり、第１及び第２のエレメントの間に１つ以上の更なるエレメントを容易に配置できることを意味する。第１の電極２上には有機層構造３（ＯＬＥＤスタック）が同電極に接合する状態で配置され、この場合、同層構造は有機材から成る複数の層を有する（かかるＯＬＥＤの詳しい構造は、先行技術より当業者には周知である）。ＯＬＥＤスタック上には第２の電極（陰極４）が同ＯＬＥＤスタックに接合する状態で配置される。ここで、第１及び第２の電極２、４は表面電極として構成されている。第２の電極４上には、第２の熱伝導層とも称する熱伝導材から成る層が、同電極に接合する状態で配置されている（層９）。熱伝導層９（ここでは銅層に関係）上には、乾燥材と熱伝導材とを含有する乾燥剤層６（ゲッタ層とも称する）が、同熱伝導層に直に接合する状態で配置される。ここで、かかるゲッタ層は当業者にとって周知のゼオライト含有材を備え、同ゼオライト層には本発明により金属粒子の形態である熱伝導材が導入されている。これらの金属粒子はゲッタ層６の肉厚全体にわたって均一に分布されている。金属粒子の平均サイズは１０乃至１００μｍであり、ゲッタ層６は約３０％の体積率でこれを含有する。ここでは材料として銅を選んだ。ゲッタ層６の厚みは１μｍである。
【００２２】
ゲッタ層６上には第１の熱伝導層（銅層）７が、同ゲッタ層に直に接合する状態で配置されている。この熱伝導層７の上には、空洞付きカバーガラス５が同熱伝導層に接合する状態で配置され、基板の反対側で有機電子素子を密閉する。空洞は、熱伝導層７とゲッタ層６と第２の熱伝導材層９とを受け入れる立方形のくぼみになっている。第１の熱伝導層７はガラス基板１の方を向くカバーガラス５空洞を完全に覆い、ゲッタ層６の上面と狭い面を完全に取り囲み、熱伝導材９に側方から（狭い面、端面に）接する。第１の熱伝導層７の最大部分、ゲッタ層６全体、第２の熱伝導材層９全体、陰極４の最大部分、ＯＬＥＤスタック３全体及びＩＴＯ陽極２は、空洞付きカバーガラス５により外側から密閉されて保護されている。
【００２３】
層面を見ると、第１の熱伝導層７はカバーガラス領域から横方向に突出し、そこには２つのブリッジ接続７ａ−１及び７ａ−２が構成されている。熱ブリッジ接続７ａは（例えば銅線により）外部の受動的冷却体８へ接続される。このため、ＯＬＥＤスタック３で発生する熱は熱伝導材９を介して伝導できる他、熱伝導粒子を有するゲッタ層６を介し、同層と熱ブリッジ接続７ａとに熱的に接続する熱伝導層７を介し、ＯＬＥＤスタック３冷却のための冷却体８へ、効率的且つ容易に分配できる。ガラス基板１、又は電極２、４の部分に空洞付きカバーガラス５を固定する接着剤は熱伝導性接着剤として構成され、これが熱伝導層７と熱ブリッジ接続７ａ−１及び７ａ−２とに熱的に接触することで放熱効果は更に高まる。
【００２４】
熱ブリッジ接続７ａ−１及び７ａ−２の下側（すなわち、ガラス基板１の方を向く部分）には電気絶縁体１０ａ、１０ｂが設けてある。第１及び第２の電極２、４を通じてＯＬＥＤスタック３へ適切な電圧を供給するため、この電気絶縁体１０ａ、１０ｂに直に接合する状態で両電極２、４の電気的接続２ａ、４ａが構成されている（同じくカバーガラス５によって覆われた領域から横に突出）。熱ブリッジ接続７ａと２つの電気的接続接点２ａ、４ａは電気絶縁部１０ａ、１０ｂによって結合され、有機層構造又はＯＬＥＤスタック３の共同熱電接点を形成する。
【００２５】
ここで、熱伝導層７（ここでは銅から構成されるが、アルミニウム、銀、ニッケル、カルシウム、マグネシウム、亜鉛、Ｓｎ、鉄、金、又はこれらの材料数種から成る合金から構成することもできる）は、第１の実施形態において、本発明により、ＯＬＥＤ３の方を向くカバーガラス５面に付着される。かかる層７は、ここでは５０ｎｍ乃至１ｍｍの厚みを有する。本発明によれば、ゲッタ層７の構成、すなわち熱伝導材（同じく上記の金属又は合金から成る金属粒子）の導入により、ＯＬＥＤスタック３からの速やかな熱除去を保証する乾燥剤の適用は、最も重要な態様である。
【００２６】
ＯＬＥＤスタック構造３と熱伝導乾燥剤層６とに接する更なる熱伝導材層９が必要に応じて構成される。電気的接続２ａ、４ａを介した素子の電気接触に加え、最適な熱放出を可能にするため、熱伝導層７は熱ブリッジ接続７ａ（同じく銅製）を介して接触される。この熱ブリッジ７、７ａには外部の冷却体構造８（その詳しい構造は当業者には周知である）が熱的に接続される。
【００２７】
かかる応用によれば、図示した受動的冷却の他に、能動的冷却エレメントを本発明による素子として使用できる。このことは、例えば当業者にとって周知のファン又は液冷システムに関係する。この場合、能動的冷却エレメントは上記で説明した熱除去を更に支援するように構成及び／又は配置される。有機太陽電池の場合は、上記で説明した受動的冷却を液槽内に埋設すると更に有利である。つまり、除去された熱によりこの液槽（水で満たされた槽等）が加熱され、加熱された水やその熱は（例えば温水生成又は分配システムの後続接続により）更に利用することができる。かかる応用によれば、液槽におけるこの種の埋設は、十分な廃熱を発生させるＯＬＥＤやその他の有機電子素子にも適している。
【００２８】
上述のように、電極２及び４は電気絶縁体１０ａ及び１０ｂによって熱ブリッジ接続７ａ−１及び７ａ−２へ結合される電気的接続接点２ａ及び４ａの提供によって構成され、これによりＯＬＥＤスタック３の共同電熱接触が達成される。この場合の熱伝導層は電圧を伝導するものではないから、熱伝導層７と電気部品は互いに分離される。ただし当業者には周知のように、熱伝導層７、７ａを電気接触用として同時に使用する代替的な実施形態も可能である。
【００２９】
本発明による放熱は、熱を特に良好に伝導する基板１及び／又はカバーガラス５の使用により支援できる。それらは必ずしもガラス製でなくともよいが、少なくともＯＬＥＤ又は有機太陽電池としての構成においては、所望の波長の光放射のため、エレメント１、５のいずれか一方を、少なくとも部分的には透明にする必要がある。
【００３０】
図２は、柔軟屈曲可能有機発光ダイオードの形態である、本発明による更なる有機電子素子を示す図である。
【００３１】
図２に示すＯＬＥＤは、基本的には図１のものと同様に構成されるため、ここではそれらの違いのみ説明する。図１の実施形態における合成ガラス基板１は、ここで３層可撓性フォイル基板１に置き換えられている。同様に、２つの電極２、４とＯＬＥＤスタックも柔軟屈曲可能材料か延性材料から構成される。
【００３２】
この場合は、図１の実施形態で空洞を有する合成カバーガラス５と熱伝導層７も同様に、柔軟屈曲可能カバーエレメントに置き換えられており、同カバーエレメントは、柔軟屈曲可能層構造を備える。ここで、柔軟屈曲可能層構造５は上下に重ねて配置された３つの層を有するが、層数は３層より多くても少なくてもよく（基板の反対側から基板側へ至る方向に見て）、最も上と最も外側のカバー層はポリプロピレン、ポリエチレン、ＰＩ、又はＰＥＴでできたキャリアフォイルを備える（参照番号５ａ）。同層上には、２つの層から成る熱伝導フォイル１２が同層に接合する状態で配置されている（カバーエレメント５の一部をなす）。フォイル基板の反対側に位置する熱伝導フォイル１２の層は、ここでは延性Ｃｕ又はＡｌを備える金属化層１２ａとして構成されている。層１２ａには熱伝導フォイル１２の第２の層１２ｂが接合する（この幾何学的構成によれば、第２の層１２ｂはＯＬＥＤスタック３を取り囲む領域において第１の電極２、第２の電極４、及び／又はフォイル基板１に接合する）。かかる層１２ｂはＰＰ−、ＰＥ−、ＰＩ−、ＰＥＴ−又はポリカーボネート層として構成される。
【００３３】
つまりフォイル層１２ｂは図１に示す事例と同様、ＯＬＥＤスタック３領域に空洞を形成する。この空洞には、ＯＬＥＤスタック３と、同スタックの上面及び側面を取り囲む更なる熱伝導材９とが配置される。その上、すなわち熱伝導材９（ここでは樹脂又はシリコンオイル等、ＯＬＥＤを損傷しない液状又はペースト状の非伝導材として構成）と層１２ｂとの間には、熱伝導粒子が導入された（図１に示す事例と同様）ゲッタ層６が、エレメント９及び１２ｂに接合する状態で同様に配置される。ここで、ゲッタ層６はオプションである。
【００３４】
図２に示す可撓性素子の場合、すなわち表面全体にわたって曲げることができる素子の場合は、封止材又はカバーエレメント５が、熱伝導フォイル１２を有する柔軟屈曲可能層構造に置き換えられる。この代わりに、あるいは加えて、基板もまた熱伝導フォイルを有することがある。熱伝導フォイルはここで示すように多層構造の構成材であるが、基板又は封止材の、単独構成材であってもよい。ここで、好ましくは熱伝導フォイル１２の少なくとも１層は金属化され、熱伝導のみならず、水及び酸素に対する障壁特性を高めるのに役立てる。フォイル基板１の構成と可撓性カバーエレメント５の構成において、有機電子素子の２つの表面の内少なくとも一方は透明であることに留意されたい。
【００３５】
更に、図１の範囲内で、上記で説明した更なる手段を図２に示す事例に用いることができる（外部冷却体等）。
【００３６】
図３ａは、本発明による更なる有機電子素子の第１の実施形態を示すものであり、これはフォトクロミック及び／又はエレクトロクロミック層を有するＯＬＥＤの形態である。図３ｂは、この層の更なる実施形態を示すものであり、この層は図３ａに示す事例とは対照的に、ＯＬＥＤスタック３の方を向く基板ベース１表面に配置されている。
【００３７】
図３ａに示すＯＬＥＤエレメントの基本構造は図１に示すエレメントのそれに類似する。簡潔さを図るため、ここでは電気接点４ａのみを図示しており、電熱接続２ａ、７ａ−１、及び７ａ−２（ならびにエレメント１０ａ、１０ｂ）は図示していない。唯一の違いとして、カバー５に対して反対側の基板１面には、フォトクロミック及び／又はエレクトロクロミック材１１から成る層が、基板１に接合する状態で配置されている。前記層上には保護ワニス層が配置され、基板ベース１に対して反対側の面で前記層に接合する。この保護ワニス層は層１１の機械的損傷を防ぐ。
【００３８】
フォトクロミック及び／又はエレクトロクロミック材については他の応用目的で非特許文献において既に説明されており、当業者にとって周知である。
【００３９】
フォトクロミック及び／又はエレクトロクロミック層により、以下に説明する様々な態様を形成することができる。フォトクロミック層（セルフカラーリング眼鏡に使われているもの等）により、破壊的な光波長又は光波長範囲は特定的に排除できる。それには、相応の吸収帯を有するフォトクロミック層１１を適用する。本発明による有機太陽電池（図示せず）の場合は、エネルギー生成のために光が必要であるため、これを条件的に行わなければならない。ただしこの場合は、入射光強度に応じて波長の一部、及び／又は光強度の一部を、排除すればよい。
【００４０】
ＯＬＥＤの場合は特に、例えば単色ＯＬＥＤの場合のように、狭い波長範囲で発光するＯＬＥＤにこの方法を応用できる。加えて、例えば夜間にオンに切り替わる屋外用ＯＬＥＤなら太陽光の全光スペクトルから保護できる。
【００４１】
本発明によるフォトクロミック材は、基板上の１層、又は複数の層に適用できる。層又はフォトクロミック材を基板に、あるいは封止材（上部発光ＯＬＥＤ）に一体化することも可能である。１つのフォトクロミック材を用いて所望の光スペクトルをカバーできる他、複数のフォトクロミック材を使用し、好ましくは互いに並行に配置された複数の層に配置することもできる。単独層と層構造の両方を使用できる。
【００４２】
フォトクロミック層又はフォトクロミック層構造の使用とまったく同様に、エレクトロクロミック層又はエレクトロクロミック層構造を使用することができる。その利点として、エレクトロクロミック層に電極接点を設け、これを通じて直流を印加することにより、太陽光保護を能動的に切り替えることが可能となる。例えば、所望の光強度（有機太陽電池に当たる光、又は有機発光ダイオードによって実際に発せられる光）を電圧の選択により調整することができる。所望の電圧の調整により、適宜なエレクトロクロミック構造において、例えばポリアニリン層において段階的な色の変化が可能になる。加えて、特定の波長又は範囲に対しＯＬＥＤ又は太陽電池を短時間「能動的に」切り替えることが可能である。一応用例として、ＯＬＥＤでできた交通信号灯で、例えばエレクトロクロミック層の透明切り替えにより赤信号を短時間可視化することができる。非発光信号の場合は、ＯＬＥＤをオフに切り替えるか、ＯＬＥＤの波長範囲を選別するか、両方を組み合わせることができる。一旦調整された色の状態は、通常であれば更なる電流がなくても安定状態を保つため、色の変化のための電流は比較的低い。
【００４３】
以下で説明するように、層面における幾何学的構造化によって（具体的には、層面におけるエレクトロクロミック材及び／又はフォトクロミック材濃度の局所的変化）効果を達成することもできる。この場合は、エレクトロクロミック層に電圧を印加することにより色の変化を達成できる。かかる色の変化は、使用する材料構造に応じた電圧の使用により大幅に変えることができる。フォトクロミック又はエレクトロクロミック層の局所的構造化の結果、電圧の印加により文字や記号を可視化したり色を変えたりすることができる。
【００４４】
フォトクロミック及び／又はエレクトロクロミック層の厚みは達成すべき色の効果に応じて異なる。僅かな色の変化を達成するのであれば薄い層を選ぶべきである。層が厚いほど色の効果は強くなる。その代わりに、あるいは加えて、層におけるフォトクロミック及び／又はエレクトロクロミック材の濃度によって効果の強さをコントロールすることもできる。この場合の色の効果は、使用する光の波長と強度に左右される。
【００４５】
本発明によれば、適切な層に適切な層の厚み、層の濃度、層材を用意することにより、ＯＬＥＤが発する光を分離できる。
【００４６】
純粋にフォトクロミック層によって相応の効果を達成することもできる。この場合は、相応の層構造を設けることで色の変化の他に標識や記号を可視化できる。例えば、放射強度表示にこれを応用できる。フォトクロミック層が反応する波長に従い、二次光源により、特定の範囲及び波長に限って選択的に応答できる。ＯＬＥＤ自体でフォトクロミック効果を達成することもできる。つまり、ＯＬＥＤが発する光によって該当する層でフォトクロミック効果を起こすのである。例えば、数通りの色を発することができる構造化ＯＬＥＤ又はディスプレイでその効果を果たすことができる（図４参照。ＯＬＥＤという文字が層に組み込まれている。これらの局所領域ではフォトクロミック材の濃度を０以外する）。図４Ａは適切な波長の光の光入射前を示す図であり、図４Ｂは、例えばＯＬＥＤスタック３自体により、適切な波長の光が放射されている場合を示す図である。
【００４７】
本発明によれば、エレクトロクロミック材とフォトクロミック材の両方を別々の層に使用することは当然可能である（この場合は層を互いに上下に重ねて配置できる他、隣り合わせにも配置できる）。層の厚み及び／又はエレクトロクロミック及び／又はフォトクロミック材の濃度は、目的の用途に応じて選択する。
【００４８】
エレクトロクロミック及び／又はフォトクロミック層は、特に、素子の内部（つまりＯＬＥＤスタック３の方を向く基板１面）、あるいは基板１とＯＬＥＤスタック３との間に（図３ｂ参照）適用すると有利である。これらの材料のほとんどは水や空気から保護しなければならないためである。
【００４９】
更に、本発明によれば、電極の部分を合わせて使用できる。
【００５０】
図５乃至図７の実施形態を説明する。かかる実施形態は、基本的には図３ａ及び図３ｂに示す実施形態と同様に構成されるため、ここではそれらの違いのみ説明する。図５に示す更なる例では、エレクトロクロミック層１１が透明ＩＴＯ陽極２（ＯＬＥＤスタック３に対して反対側の電極面）に直に接合する状態で配置されている。
【００５１】
透明電極２に対して反対側のエレクトロクロミック層１１面には、更なる電極１４が層１１に直に接合する状態で配置されている。つまり、エレクトロクロミック層１１は透明の電極２と更なる電極１４との間でサンドイッチ状に配置されており、これら２つの電極１１、１４により、エレクトロクロミック層１１に所望の電圧を印加できる。エレクトロクロミック層１１に対して反対側に位置する更なる電極１４の面には、基板１が同面に接合する状態で配置されている（ここでは前記電極も薄層状に構成される）。
【００５２】
図６に示す事例では、エレクトロクロミック層１１が図３ａに示す事例のように配置されている。ただし、その両側には２つの更なる電極１４ａ及び１４ｂが配置されており、基板１、第１の更なる電極１４ａ、エレクトロクロミック層１１、第２の更なる電極１４ｂ、及び保護ワニス層１３とから成る「サンドイッチ」が形成されている。ここにも２つの薄層状電極１４ａ、１４ｂから成るエレクトロクロミック層１１が含まれており、これらの電極を通じてエレクトロクロミック層１１に適切な電圧を印加できる。
【００５３】
図７に示す事例も、基本的には図３ａに示す事例に類似している。ただし、サンドイッチ状に配置された薄層状の更なる電極１４ａ、１４ｂの代わりに、ここでは２つの更なる電極がエレクトロクロミック層１１の層面の横に配置されているため、これらの電極によって発生する電界は、エレクトロクロミック層１１の層面に対して垂直には通過しない。ここで電界ベクトルＥは層面に、層の肉厚に対して垂直に配置され、層面に対して平行にエレクトロクロミック層１１を通過する。
【００５４】
図示した第１の事例（図５）で、ＩＴＯ陽極２も同様にエレクトロクロミック層１１の動作に使われる。
【００５５】
上述した可能性は、電流発生の他、ある程度の審美的性質を有する有機太陽電池等にも同様に使用できる他、有機太陽電池上の透明ＯＬＥＤとして使用することもできる。
【００５６】
本発明によれば、社名等を記載した文字を可視化できる。
【符号の説明】
【００５７】
１  基板ベース
２  第１の電極
３  有機層構造
４  第２の電極
５  カバーエレメント
６  乾燥剤層
７  熱伝導層
８  冷却体
９  熱伝導材
１０  電気絶縁部
１１  エレクトロクロミック材（エレクトロクロミック層）
１２  熱伝導フォイル
１３  保護ワニス層
１４  電極
【図１】
2010536155.tif 000003
【図２】
2010536155.tif 000004
【図３ａ】
2010536155.tif 000005
【図３ｂ】
2010536155.tif 000006
【図４】
2010536155.tif 000007
【図５】
2010536155.tif 000008
【図６】
2010536155.tif 000009
【図７】
2010536155.tif 000010
【国際調査報告】
2010536155.tif 000011
2010536155.tif 000012
2010536155.tif 000013
2010536155.tif 000014
2010536155.tif 000015
2010536155.tif 000016
2010536155.tif 000017
2010536155.tif 000018
2010536155.tif 000019
2010536155.tif 000020